(57)【特許請求の範囲】
【請求項１】
文字多重放送を受信する受信回路と、
この受信回路により受信された文字データを記憶するメモリと、
表示素子と、
文字表示の送りキーとを有し、
上記送りキーを操作した場合には、
上記メモリに、現在表示されているページの次のページの文字データが用意されているかどうかをチェックし、
上記次のページの文字データが用意されているときには、その文字データにより上記表示素子に対応する文字を表示し、
上記次のページの文字データが用意されていないときには、所定の期間、上記次のページの文字データが用意されるのを待つとともに、
上記次のページの文字データが上記所定の期間に用意されたときには、その文字データにより、上記表示素子に対応する文字を表示し、
上記次のページの文字データが上記所定の期間に用意されないときには、上記送りキーを操作したときに表示されていたページの文字データにより、上記表示素子に対応する文字を表示する
ようにした受信機。
【請求項２】
請求項１に記載の受信機において、
上記次のページの文字データが用意されていないときには、所定の期間、処理中であることを上記表示素子に表示し、
かつ、上記次のページの文字データが用意されるのを待つ
ようにした受信機。
【請求項３】
請求項１に記載の受信機において、
ビープ音信号の形成回路を有し、
上記所定の期間中、あるいは上記所定の期間の経過後に、表示が変更されたときには、上記形成回路が制御されて、上記表示の変更されたことを通知するビープ音が出力される
ようにした受信機。
【発明の詳細な説明】
【０００１】
【産業上の利用分野】
この発明は、文字多重放送を受信する受信機に関する。
【０００２】
【従来の技術】
ＦＭ放送において、「ＦＭ文字多重放送」と呼ばれ、本来の音声放送の番組と一緒に、文字情報などのデータを多重化して送信することが実現化されている。そして、そのＦＭ文字多重放送を受信して、ＬＣＤ（液晶表示素子）などの表示素子に文字情報などを表示できるＦＭ受信機も市販されるに至っている。
【０００３】
このＦＭ文字多重放送は、移動受信が可能で、ＤＡＲＣ方式と呼ばれ、文字情報などのデジタルデータの多重化の規格は、副搬送周波数が76ｋHz、伝送レイトが16ｋビット／秒、変調方式がＬＭＳＫ、誤り訂正方式が（２７２，１９０）短縮化差集合巡回符号による積符号とされている。
【０００４】
そして、文字情報などの番組サービスとしては、レベル１、２、３の区別がある。これらは、いずれも、ドット表示により文字情報などを提示（表示）するものであるが、レベル１は、ヘッダ部を含んで15.5文字×2.5行の表示が可能な受信機に向けたサービスで、情報は文字である。また、レベル２は、ヘッダ部を含んで15.5文字×8.5行の表示が可能な受信機に向けたサービスで、情報は文字および図形である。さらに、レベル３は、ＣＤ−ＲＯＭなどにより詳細な地図を表示できる受信機、すなわち、ナビゲーションシステムに向けた交通情報のサービスである。
【０００５】
そして、レベル１の番組サービスとしては、ニュース、天気予報、交通情報、エンターテインメントおよび主な補完番組などが考えられている。この場合、エンターテインメントは、占い、リスナー伝言板、クイズ、タウン情報などを提供するものである。
【０００６】
また、主な補完番組は、例えば本来の音声放送番組が音楽番組であるときに、その曲名、演奏者名、リクエストのときの電話番号・ＦＡＸ番号などのような番組の補完情報を提供するものである。なお、以下においては、主な補完番組を「番組情報」または「番組連動」と称する。
【０００７】
さらに、上記以外の番組サービスとして、緊急の必要性があるときに随時提供される「緊急情報」も考えられている。
【０００８】
図４は、上記のＦＭ文字多重放送において多重化されるＬＭＳＫ信号のフレーム構成を示す。このＬＭＳＫ信号の１フレームは272ブロックで構成され、それぞれのブロックは288ビットとされている。
【０００９】
また、１フレームは、190個のデータパケットのブロックと、82個の縦方向のパリティパケットのブロックとに分けられ、縦方向のパリティパケットのブロックは分散されて送出される。
【００１０】
そして、各ブロックの先頭には、16ビットのＢＩＣ（ブロック識別符号）が付加される。ただし、ＢＩＣとしては４種類のものが用いられ、これにより各パリティパケットが区別されるとともに、フレームの先頭が識別される。
【００１１】
また、データパケットのブロックは、ＢＩＣに続いて176ビットのデータパケットを有し、そのあとに14ビットのＣＲＣ符号が付加され、これに続いて82ビットの横方向のパリティチェック符号を有する。
【００１２】
この場合、ＣＲＣ符号は、積符号による誤り訂正後の残留誤りを検出するために付加される。また、縦方向のパリティパケットのブロックは、ＢＩＣに続いて272ビットの縦方向のパリティパケットを有するものとされている。
【００１３】
さらに、各データパケットは、図５に示すように、32ビットのプリフィックスと、これに続く144ビットのデータブロックとから構成されている。
【００１４】
このプリフィックスは、図６に示すように、サービス識別符号、復号識別フラグ、情報終了フラグ、更新フラグ、番組番号、ページ番号、データリンク符号、およびデータパケット番号から構成されている。
【００１５】
また、サービス識別符号は、４ビットで、番組内容などを識別するものである。そして、レベル１に関しては、「１」が逐次受信処理用の一般情報、「２」が記録受信処理用の一般情報、「４」が交通情報、とされている。
【００１６】
この場合、逐次受信処理とは、受信機において番組データまたはページデータの最初のデータパケットが着信し次第、提示の復号処理を開始するモードであり、記録受信処理とは、番組データまたはページデータの全データを受信記録してデータグループごとのＣＲＣ符号による誤り訂正処理を行ったのちに初めて提示の復号処理を開始するモードである。
【００１７】
そして、送信側において受信側における提示のタイミングをとる必要がある番組や、データグループの最終パケットが得られてから復号処理を始めたのでは提示が間に合わないような番組のときには、逐次受信処理とされる。
【００１８】
また、復号識別フラグは、１ビットで、受信機の誤り訂正回路が横方向のみの復号によりデータを出力する場合には“１”とされ、横方向および縦方向の複合後にデータを出力する場合には“０”とされる。
【００１９】
そして、逐次受信処理で、復号識別フラグが“０”の場合には、受信機は、それぞれのデータパケットの先頭のＢＩＣを受信してから302パケット後のデータパケットの先頭のＢＩＣの時点で、それぞれのデータパケットについての提示のための復号処理を行うように、規定されている。
【００２０】
また、情報終了フラグは、１ビットで、あるデータグループ番号で送出するデータグループが終了する場合には“１”とされ、そうでない場合には“０”とされる。さらに、更新フラグは、２ビットで、データグループが更新されるごとに１ずつインクリメントされる。また、番組番号は８ビット、ページ番号は６ビットで、両者によりデータグループ番号が形成される。
【００２１】
さらに、データリンク符号は、２ビットで、１つのデータグループに属すべきデータを、パケット数がデータパケット番号の最大値を超えるような大容量のデータであるなどのために、最大で４つのデータグループに分割して、データリンク符号が異なる、同一のデータグループ番号により送信する場合に、各データグループの間で０→１→２→３の順にリンクさせる符号である。
【００２２】
なお、データリンク符号を除くデータパケット番号は、８ビットで、「０」から順に割り当てられる。
【００２３】
さらに、番組番号は０から255までとされ、その「０」には「総目次」が割り付けられ、主な補完番組（番組情報ないし番組連動）には「254」が、緊急情報には「255」が、それぞれ割り付けられている。
【００２４】
また、ページ番号は１から62までとされ、すなわち、１番組は最大62ページとされている。そして、１ページは、１データグループに相当し、１データグループは、１つまたは複数のデータブロックで構成される。
【００２５】
そして、レベル１においては、１ページは、一般には15.5文字×2.5行の表示書式とされるが、15.5文字×8.5行の表示書式とすることもできる。また、この場合の文字データは、ＪＩＳコードによって表示する文字を指定するものとされている。
【００２６】
このレベル１に対応する受信機は、上述したように、かつ、図７に示すように、例えばＬＣＤ１として、15.5文字×2.5行の表示が可能な表示画面１ａを有するものが用いられる。ただし、その表示画面１ａのうちの左下側の15文字×２行の部分１ｂが本文表示領域とされ、斜線を付した上側の0.5行および右側の0.5文字の部分１ｃはヘッダ文表示領域とされる。
【００２７】
そして、受信機は、ステレオコンポジット信号とともにＬＭＳＫ信号を受信し、そのＬＭＳＫ信号から上記の文字データをデコードして、バッファメモリに書き込むようにされる。
【００２８】
さらに、受信機またはこれを遠隔制御するリモコン送信機には、「総目次」キーが設けられ、これを操作することによって、受信機は、図８（Ａ）に示すように、表示画面１ａに、総目次（メインメニュー）を提示するようにされる。ただし、図８（Ａ）は、総目次が複数ページにわたり、または8.5行の表示書式とされ、そのうちの最初の１ページ、または最初の2.5行が表示された状態である。
【００２９】
また、受信機またはリモコン送信機には、さらに「ページ（画面）送り」キーが設けられ、これを操作することによって、図８（Ｂ）に示すように、表示画面１ａには、次のページ、または8.5行の表示書式とされたページの次の２行が表示されるようにされる。
【００３０】
そして、ユーザーが総目次の中から見ようとする項目の番号を選択決定すると、さらに、その選択決定された項目についての目次が提示されるようにされる。例えば、ユーザーが総目次の中から「３．天気予報」を選択した場合、図９に示すように、「１．今日の天気」、「２．明日の天気」というような目次が提示される。
【００３１】
さらに、ユーザーがその目次の中から見ようとする項目の番号を選択決定すると、その選択決定された項目についての最初のページが提示されるようにされる。例えば、ユーザーが上記の目次の中から「１．今日の天気」を選択した場合、図１０に示すように、「今日の天気」についての具体的な文字情報が提示される。
【００３２】
【発明が解決しようとする課題】
ところで、ＦＭ文字多重放送の受信機が自動車に搭載されている場合、車の走行につれて放送波の受信状態が大幅に変化することがあり、この結果、データを正常に受信できない状態を生じ、１ページ分の文字コードをすべて受信するまでの時間が、長くなってしまうことがある。
【００３３】
そして、そのような場合には、例えば、目的地の天気を知ろうとして、ページ送りのキー操作を行っても、いつまでたっても、処理中を示す画面となってしまう。
【００３４】
この発明は、このような問題点を解決しようとするものである。
【００３５】
【課題を解決するための手段】
このため、この発明においては、
文字多重放送を受信する受信回路と、
この受信回路により受信された文字データを記憶するメモリと、
表示素子と、
文字表示の送りキーとを有し、
上記送りキーを操作した場合には、
上記メモリに、現在表示されているページの次のページの文字データが用意されているかどうかをチェックし、
上記次のページの文字データが用意されているときには、その文字データにより上記表示素子に対応する文字を表示し、
上記次のページの文字データが用意されていないときには、所定の期間、上記次のページの文字データが用意されるのを待つとともに、
上記次のページの文字データが上記所定の期間に用意されたときには、その文字データにより、上記表示素子に対応する文字を表示し、
上記次のページの文字データが上記所定の期間に用意されないときには、上記送りキーを操作したときに表示されていたページの文字データにより、上記表示素子に対応する文字を表示する
ようにした受信機
とするものである。
【００３６】
【作用】
表示の送りキーを操作したとき、次に表示されるページの文字コードが完成しているときには、そのページが表示される。しかし、所定の時間がたっても、次に表示されるページの文字コードが完成しないときには、これがビープ音により通知されるとともに、もとのページの表示に復帰する。
【００３７】
【実施例】
図１は、この発明を、車載用のＦＭ受信機に適用した場合の信号系の一例を示す。また、このＦＭ受信機は、ＦＭ文字多重放送に対して、レベル１の受信能力があるものとする。
【００３８】
すなわち、アンテナ１１により受信されたＦＭ信号が、シンセサイザ方式のチューナ回路１２に供給されて目的とする周波数の放送局が選局されるとともに、そのＦＭ信号が中間周波信号に変換され、この中間周波信号が中間周波アンプ１３を通じてＦＭ復調回路１４に供給される。
【００３９】
こうして、復調回路１４からは、ステレオの左および右チャンネルのオーディオ信号Ｌ、Ｒの加算信号（Ｌ＋Ｒ）と、その差信号（Ｌ−Ｒ）により平衡変調されたＤＳＢ信号と、パイロット信号と、上述したＦＭ文字多重放送におけるＬＭＳＫ信号との周波数多重化信号が取り出される。
【００４０】
そして、この周波数多重化信号がステレオ復調回路１５に供給され、加算信号（Ｌ＋Ｒ）およびＤＳＢ信号からオーディオ信号Ｌ、Ｒが復調され、これら信号Ｌ、Ｒがアンプ１６Ｌ、１６Ｒを通じて左および右チャンネルのスピーカ１７Ｌ、１７Ｒに供給される。
【００４１】
さらに、このＦＭ受信機には、チューナ回路１２における選局およびＦＭ文字多重放送による文字の表示を実行するため、マイクロコンピュータ２０が設けられている。
【００４２】
すなわち、このマイクロコンピュータ２０は、プログラムを実行するためのＣＰＵ２１と、ＲＯＭ２２と、ワークエリア用のＲＡＭ２３と、ＦＭ文字多重放送のデータの受信バッファ用のＲＡＭ２４とを有する。この場合、ＲＯＭ２２には、各種のルーチンおよび所定の文字列（文章）を表示するためのデータが書き込まれているとともに、そのルーチンの一部として、例えば図２に示す表示送りルーチン１００が設けられる。
【００４３】
そして、これらメモリ２２〜２４はシステムバス２９を通じてＣＰＵ２１に接続されるとともに、バス２９には、インターフェイス回路（ポート）２５〜２８が接続される。
【００４４】
そして、インターフェイス回路２５からチューナ回路１２に選局用のデータが供給され、その選局が実行される。また、復調回路１４からの復調信号が、デコーダ回路４１に供給されてＬＭＳＫ信号からＦＭ文字多重放送におけるデータがデコードされて取り出され、このデータがインターフェイス回路２６を通じてＲＡＭ２４に書き込まれ、ＲＡＭ２４のデータは、常に最新のデータで更新される。
【００４５】
また、インターフェイス回路２７には、ノンロックタイプのプッシュスイッチにより構成された各種の操作キー４２が接続され、そのキー出力がマイクロコンピュータ２０に取り込まれる。こうして、キー４２のうちの任意のキーを押すと、その押されたキーがＣＰＵ２１により判別され、その押されたキーに対応する処理が実行される。
【００４６】
ただし、ＦＭ受信機が車載用の場合には、その操作パネルは狭くて多数の操作キーを配置することはできないので、この例においては、キー４２は、操作頻度の高いキーおよび重要性の高いキーのみとされ、その他の操作はリモコン（遠隔操作）により行うようにされている。
【００４７】
このため、インターフェイス回路２７には、リモコンの受信回路４３も接続される。この例においては、そのリモコンは赤外線式とされているものであり、受信回路４３は、リモコンの送信機６０からの赤外線を受光する受光素子と、この受光素子からのリモコン信号をデコードするデコーダ回路とを有する。
【００４８】
また、リモコンの送信機６０にもノンロックタイプのプッシュスイッチにより構成された各種の操作キー６２（６２Ａ〜６２Ｎ）が設けられる。このキー６２の一部はキー４２と機能が重複するが、キー６２のうちの任意のキーを押すと、その押されたキーに対応するデータが形成され、これが赤外線に変換されてＦＭ受信機へと送信される。
【００４９】
そして、ＦＭ受信機においては、送信機６０から送信されてきた赤外線が受信回路４３により受信されてもとのデータが取り出され、このデータがインターフェイス回路２７に供給される。こうして、キー４２を押した場合と同様、キー６２を押した場合も、その押されたキーに対応する処理がマイクロコンピュータ２０により実行される。なお、以下においては、送信機６０のキー６２を使用した場合により、各部の動作を説明する。
【００５０】
また、インターフェイス回路２８には、ビープ音信号の形成回路４４が接続され、そのビープ音信号がアンプ１６Ｌ、１６Ｒに供給される。
【００５１】
さらに、バス２９には、ＦＭ文字多重放送により送られてきた文字コードを表示データに変換するためのフォントデータを有するフォントＲＯＭ（キャラクタジェネレータ）３１が接続されるとともに、表示用のメモリ３２と、ディスプレイコントローラ３３とが接続され、このコントローラ３３に、表示素子として、例えばＬＣＤ５０が接続されている。
【００５２】
この場合、ＬＣＤ５０は、この例においては、上述したＬＣＤ１と同様に構成され、15.5文字×2.5行の表示能力を有するものとされている。そして、メモリ３２は、ＬＣＤ５０のドット表示方式に対応してビットマップ方式とされ、１画面分の容量を有する。なお、以下においては、文字放送番組はレベル１で行われ、その１ページは１画面の大きさ（容量）とする。
【００５３】
そして、ＲＡＭ２４に保持されている文字コードがＣＰＵ２１により読み出され、この読み出された文字コードが、ＲＯＭ３１のフォントデータを使用して表示データに変換され、この表示データが、メモリ３２に書き込まれる。また、このとき、コントローラ３３により、メモリ３２の表示データが繰り返し読み出されるとともに、表示信号に変換されてＬＣＤ５０に供給される。したがって、ＬＣＤ５０には、ＣＰＵ２１がＲＡＭ２４から読み出した文字コードの文字が表示される。
【００５４】
このような構成において、キー６２（あるいは４２）のうちのページ送りのキーを操作して、次のページの表示を指示すると、ＣＰＵ１１によりルーチン１００が実行される。
【００５５】
すなわち、今、任意の文字多重放送による番組が選択され、その１ページがＬＣＤ５０に表示されているとする。例えば図３Ａに示すように、天気予報が選択され、その１ページがＬＣＤ５０に表示されているとする。なお、この表示は、上述したように、ＲＡＭ２４に保持されている文字放送のデータのうち、選択された番組の先頭のページの文字コードが、ＲＯＭ３１のフォントを使用して表示データに変換され、この表示データが、メモリ３２に書き込まれることにより、実現される。
【００５６】
そして、このような状態にあるとき、操作キー６２のうちのページ送りキー６２Ａを押すと、ＣＰＵ１１の処理がルーチン１００のステップ１０１からスタートし、次にステップ１０２において、ＬＣＤ５０に現在表示されているページが最終ページであるかどうかがチェックされ、最終ページのときには、処理はステップ１０２からステップ１０５に進み、このルーチン１００を終了する。
【００５７】
しかし、最終ページではないときには、処理はステップ１０２からステップ１０３に進み、このステップ１０３において、ＲＡＭ２４の受信データをチェックすることにより、ＬＣＤ５０に現在表示されているページの次のページの文字コードが、すべてＲＡＭ２４に正常に書き込まれているかどうかがチェックされる。
【００５８】
そして、正常に書き込まれているときには、処理はステップ１０３からステップ１０４に進み、このステップ１０４において、ＲＡＭ２４から、ＬＣＤ５０に現在表示されているページの次のページの文字コードが読み出され、この文字コードが表示データに変換されてメモリ３２に書き込まれることにより、ＬＣＤ５０には、例えば図３Ｃに示すように、次のページが表示される。そして、その後、処理はステップ１０５に進み、このルーチン１００を終了する。
【００５９】
したがって、ページ送りキー６２Ａを押した場合に、次のページの文字コードがＲＡＭ２４に用意されているときには、次のページが直ちにＬＣＤ５０に表示されることになる。
【００６０】
さらに、ステップ１０３において、ＬＣＤ５０に現在表示されているページの次のページの文字コードのすべてが、まだ、ＲＡＭ２４に書き込まれていないときには、処理はステップ１０３からステップ１１１に進む。そして、このステップ１１１において、ＲＯＭ２２から所定の文字列の文字コードが順に読み出されるとともに、これが表示データに変換されてメモリ３２に供給される。こうして、ＬＣＤ５０には、例えば図３Ｂに示すように、「しばらくお待ち下さい」の文字列（文章）が表示される。
【００６１】
続いて、処理はステップ１１２に進み、このステップ１１２において、ソフトウエアによるタイマがセットされる。このタイマは、次のページのデータを受信するときの制限時間を決めるものである。
【００６２】
そして、次に、ステップ１１３において、ＲＡＭ２４に次のページのデータがすべて書き込まれたかどうかがチェックされ、書き込まれていないときには、処理はステップ１１３からステップ１１４に進み、このステップ１１４において、ステップ１１２でセットされたタイマが規定の時間、例えば１分を経過したかどうかがチェックされ、経過していないときには、処理はステップ１１４からステップ１１３に戻る。
【００６３】
したがって、ページ送りキー６２Ａが押されたとき、ＲＡＭ２４に次のページのデータがないときには、ステップ１１２によりセットされたタイマがタイムオーバーするまで、ステップ１１３、１１４が繰り返され、次のページのデータがすべて受信できるのを待つことになる。
【００６４】
そして、このステップ１１３、１１４が繰り返されている期間、すなわち、ページ送りキー６２Ａを押してから１分の間に、次のページのデータがすべて受信できると、処理はステップ１１３からステップ１１５に進み、このステップ１１５において、形成回路４４が制御されてビープ音がスピーカ１７Ｌ、１７Ｒから出力され、次に処理はステップ１０４に進む。
【００６５】
したがって、例えば図３Ｃに示すように、ＬＣＤ５０には次のページが表示されるとともに、このとき、表示の更新されたことがビープ音により通知され、以後、ステップ１０５により、このルーチン１００を終了する。
【００６６】
こうして、ページ送りキー６２Ａを押した場合に、次のページの文字コードがＲＡＭ２４に用意されていなくても、１分以内に次のページの文字コードがＲＡＭ２４に用意されると、そのページ（次のページ）が直ちにＬＣＤ５０に表示されることになる。また、このとき、これが、ビープ音により通知される。
【００６７】
しかし、ステップ１１３、１１４が繰り返されている期間、すなわち、ページ送りキー６２Ａを押してから１分の間に、次のページのデータのすべてを受信できないときには、タイムオーバーとなるので、処理はステップ１１４からステップ１１６に進む。そして、このステップ１１６において、形成回路４４が制御されてビープ音がスピーカ１７Ｌ、１７Ｒから出力され、次に処理はステップ１１７に進む。
【００６８】
そして、このステップ１１７において、もとのページのデータ、すなわち、このルーチン１００が実行される前に、ＬＣＤ５０に表示されていたページのデータが、ＲＡＭ２４から読み出され、この文字コードが表示データに変換されてからメモリ３２に供給される。
【００６９】
したがって、例えば図３Ｄに示すように、ＬＣＤ５０には、ページ送りキー６２Ａを操作したときのページが再び表示される。また、ＣＰＵ２１の処理はステップ１０５によりルーチン１００を終了する。
【００７０】
こうして、ページ送りキー６２Ａを押した場合に、次のページの文字コードがＲＡＭ２４に用意されていないとともに、１分以内に次のページの文字コードがＲＡＭ２４に用意されないときには、もとのページがＬＣＤ５０に表示されることになる。また、このとき、これが、ビープ音により通知される。
【００７１】
こうして、このＦＭ文字多重放送受信機によれば、ページ送りキー６２Ａを押した場合に、次のページの文字コードがＲＡＭ２４に用意されているときには、次のページが直ちにＬＣＤ５０に表示される。
【００７２】
また、次のページの文字コードがＲＡＭ２４に用意されていなくても、１分以内に次のページの文字コードがＲＡＭ２４に用意されると、そのページ（次のページ）が直ちにＬＣＤ５０に表示される。さらに、次のページの文字コードを１分以内に用意されないときには、もとのページがＬＣＤ５０に表示される。
【００７３】
したがって、ＦＭ文字多重放送波の受信状態によって、次のページが表示できるようになるまでの時間が不定であっても、処理中の表示「しばらくお待ち下さい」がいつまでも続くことがなく、例えば受信機の故障と間違えるようなことがない。
【００７４】
また、処理中の表示を終えて、次のページあるいはもとのページが表示されるときには、これがビープ音により通知されるので、ＬＣＤ５０の画面に注目している必要がない。
【００７５】
なお、上述においては、リモコンにより各種の操作をできるようにした場合であるが、それらの操作のすべてをＦＭ受信機のキー４２から行うようにすることもできる。そして、その場合には、リモコン機能はなくてもよい。また、ＦＭ文字多重放送がレベル２の場合には、１画面が8.5行となり、そのうちの８行が本文表示領域となるが、この場合には、その８行分の文字データを２行分ずつに区切って１ページとみなし、上述の処理を行えばよい。
【００７６】
【発明の効果】
この発明によれば、放送波の受信状態によって、次のページが表示できるようになるまでの時間が不定であっても、処理中の表示が続くことがなく、例えば受信機の故障と間違えるようなことがない。
【００７７】
また、処理中の表示を終えて、次のページあるいはもとのページが表示されるときには、これがビープ音により通知されるので、表示素子の画面に注目している必要がない。
【図面の簡単な説明】
【図１】この発明の一例を示す系統図である。
【図２】この発明の一例を示すフローチャートである。
【図３】この発明の表示例を示す図である。
【図４】信号フォーマットを説明するための図である。
【図５】信号フォーマットを説明するための図である。
【図６】信号フォーマットを説明するための図である。
【図７】表示画面を説明するための図である。
【図８】表示画面を説明するための図である。
【図９】表示画面を説明するための図である。
【図１０】表示画面を説明するための図である。
【符号の説明】
１２  チューナ回路
１３  中間周波アンプ
１４  ＦＭ復調回路
１５  ステレオ復調回路
２０  マイクロコンピュータ
２１  ＣＰＵ
２２  ＲＯＭ
２３  ＲＡＭ（ワークエリア用）
２４  ＲＡＭ（受信バッファ用）
３１  フォントＲＯＭ（キャラクタジェネレータ）
３２  メモリ（表示用）
３３  ディスプレイコントローラ
４１  デコーダ回路
４２  操作キー
４３  受信回路（リモコン用）
４４  形成回路（ビープ音信号用）
５０  表示素子
６０  送信機（リモコン用）
６２  操作キー
１００  表示送りルーチン
【図１】
0003642087.tif 000002
【図２】
0003642087.tif 000003
【図３】
0003642087.tif 000004
【図４】
0003642087.tif 000005
【図５】
0003642087.tif 000006
【図６】
0003642087.tif 000007
【図７】
0003642087.tif 000008
【図８】
0003642087.tif 000009
【図９】
0003642087.tif 000010
【図１０】
0003642087.tif 000011